(57)【要約】      （修正有）【課題】携帯電話の収納、保護に使われ、電力の発生、貯蔵にも利用できる携帯電話ケースを提供する。【解決手段】携帯電話ケースは、開口を上にするケースと、ケースの一側に連接されてケースを包むカバーシート２４とからなる収納ケース１２と、カバーシート２４に設置されて太陽光に接するソーラーパネル１３と、ケースの内部に設置されて電気的にソーラーパネル１３に接続する回路版と、ケースの内部に設置されて電気的に回路版に接続する蓄電池と、ケースの一端に設置されて電気的に回路版に接続する電源コンセントと、を備え、蓄電池に電力を貯蔵可能であり、携帯電話に接続して蓄電池に貯蔵されている電力を出力可能である。【選択図】図１
0003139151.tif 000002
【実用新案登録請求の範囲】
【請求項１】
開口を上にするケースと、前記ケースの一側に連接されてケースを包むカバーシートとからなる収納ケースと、
前記カバーシートに設置されて太陽光に接するソーラーパネルと、
前記ケースの内部に設置されて電気的にソーラーパネルに接続する回路板と、
前記ケースの内部に設置されて電気的に回路板に接続する蓄電池と、
前記ケースの一端に設置されて電気的に回路板に接続する電源コンセントと、
を備え、
蓄電池に電力を貯蔵可能であり、携帯電話に接続して蓄電池に貯蔵されている電力を出力可能であることを特徴とする携帯電話ケース。
【請求項２】
更に、型式が違った幾つかの携帯電話アダプタコネクタを含み、其々の前記携帯電話アダプタコネクタの一端は電源プラグであり、他端は接続ポートであり、其々の前記電源プラグは電源コンセントにプラグイン可能であり、其々の前記接続ポートは当型式の携帯電話の電源コンセントに対応して接続可能であることを特徴とする請求項１記載の携帯電話ケース。
【請求項３】
更に、携帯電話接続ケーブルを含み、前記電源コンセントと携帯電話アダプタコネクタを接続することを特徴とする請求項２記載の携帯電話ケース。
【請求項４】
前記ソーラーパネルは、シングルクリスタルソーラー集光パネルであることを特徴とする請求項１記載の携帯電話ケース。
【請求項５】
前記蓄電池は、１２００ｍＡハイポリマー防爆リチウムイオン電池であることを特徴とする請求項１記載の携帯電話ケース。
【請求項６】
前記ソーラーパネルは、カバーシートの内部に置かれ、前記カバーシートの外側には覗き窓が設けられ、前記ソーラーパネルの集光面が外に露出可能であることを特徴とする請求項１記載の携帯電話ケース。
【請求項７】
前記回路板の上にソーラーエネルギーを電気エネルギーに転換する転換回路が設けられていることを特徴とする請求項１記載の携帯電話ケース。
【考案の詳細な説明】
【技術分野】
【０００１】
本考案は、携帯電話を収納するケースに関し、詳しくは、ソーラーで充電する携帯電話を収納するケースに関する。
【背景技術】
【０００２】
従来、携帯電話ケースは、主としては携帯電話を収納し、保護することに使われ、多くはベルトに引っ掛けたり、ベルトを通したりして使用者の腰にかけることができ、使用者は携帯電話を持ち歩くことができる。しかしながら、一般の携帯電話は、内蔵される電池で稼動する電力が提供されるが、万が一電池に貯蔵される電力が消耗したら、携帯電話が使えなくなるため、携帯電話が電力の消耗により使用不能にならないように、使用者は一般に一つか二つの事前に充電しておいた電池を予備として携行するが、たとえ携帯電話の電池の体積がそれほど大きくなくても、肌身に持つと、やはり不便になるのである。
【考案の開示】
【考案が解決しようとする課題】
【０００３】
本考案の目的は、携帯電話の収納、保護に使われ、さらに電力の発生、貯蔵にも利用でき、携帯電話の電力が消耗してしまうときに臨時充電に使える携帯電話ケースを提供することにある。
【課題を解決するための手段】
【０００４】
前記目的を達成するため、本考案の携帯電話ケースは、収納ケースがあり、それは開口を上面にするケースがあり、ケースの一側縁に接続されてケースを包むカバーシートがあり、カバーシートに設置されて太陽光に接するソーラーパネルがあり、ケース内部に設置されて電気的にソーラーパネルに接続する回路版があり、ケース内部に設置されて電気的に回路版に接続する蓄電池があり、ケースの一端に設置されて電気的に回路版に接続する電源コンセントがあり、それを以って電気的に接続して蓄電池に貯蔵されている電力を出力したり、または、蓄電池の貯蔵に電力を入力したりできる。
これにより、使用者は予備の電池を携行する必要がなく、従来の使用者が予備電池を持ち歩く不便を解決することができる。
【考案を実施するための最良の形態】
【０００５】
本考案の一実施例を図面を用いて説明する。
図１から図３を参照する。本考案の一実施例による携帯電話ケース１０は、収納ケース１２、ソーラーパネル１３、回路版１４、蓄電池１５及び電源コンセント１６からなる。
【０００６】
収納ケース１２は、革で縫製されて開口が上になるケース２２があり、ケース２２の後側縁で接続され、ケース２２を包み込むことができるカバーシート２４があり、カバーシート２４の外側に覗き窓２６が設けてあり、ケース２２の後側に設けられるサスペンダの接続パーツ２８がある。
ソーラーパネル１３は、従来のシングルクリスタルソーラー集光パネルであり、カバーシート２４の内部に設置され、また、覗き窓２６によって集光面が外に露出できる。
【０００７】
回路版１４は、ケース２２の接続パーツ２８の一側と対応する内部に設置され、且電気的にソーラーパネル１３に接続され、その上には従来のソーラーエネルギーを電気エネルギーに転換する転換回路が設けてある。
蓄電池１５は、従来の１２００ｍＡハイポリマー防爆リチウムイオン電池であり、ケース２２の接続パーツ２８の一側と対応する内部に設置され、且電気的に回路版１４に接続される。
【０００８】
電源コンセント１６は、従来の携帯電話に利用される電源プラグコンセントであり、ケース２２の一端に設置され、且電気的に回路版１４に接続される。
また、更に型式が違った数個の携帯電話アダプタコネクタ１７（本実施例では、僅かその中の一つしか開示していないが）を含み、携帯電話アダプタコネクタ１７の一端は電源プラグ３０であり、もう一端は接続ポート３２であり、其々の電源プラグ３０は電源コンセント１６にプラグインでき、其々の接続ポート３２は該型式に対応する携帯電話のコンセントに接続できる。携帯電話接続ケーブル１８があり、電源コンセント１６と携帯電話アダプタコネクタ１７に接続できる。携帯電話アダプタコネクタ１７及び携帯電話接続ケーブル１８は、ケース２２内に収納できる。
【０００９】
よって、図４に示すように、本実施例の携帯電話ケース１０を接続パーツ２８でベルト４０に引っ掛け、使用者の腰部に掛けることができる。それにより、ソーラーパネル１３は、収納ケース１２の外側にあるため、随時、太陽光を吸収でき、そして、回路版１４を通してソーラーエネルギーを電気エネルギーに転換させ、蓄電池１５によって貯蔵するのである。携帯電話５０の電力が切れかかるとき、使用者が携帯電話アダプタコネクタ１７と携帯電話接続ケーブル１８を取り出して、携帯電話アダプタコネクタ１７を携帯電話５０に差し込んで、携帯電話接続ケーブル１８を電源コンセント１６と携帯電話アダプタコネクタ１７に接続したら、携帯電話５０に対して充電でき、図５に示すようになる。
【００１０】
図６に示すように、雨天のとき、太陽光が足りなくて十分な電力を蓄電池１５の貯蔵のために提供できなくなる場合、従来の携帯電話５０の旅先用の充電器５２を利用して、蓄電池１５に対して充電できる。
上記から分かるのは、本考案で提供する携帯電話ケースは、携帯電話の収納、保護に供されるだけではなく、更に、ソーラーパネル、蓄電池の設置によって電力の発生、貯蔵に使える用品になり、携帯電話の電力が切れるとき、臨時に充電するのに使用でき、使用者としては肌身に予備の電池を持ち歩く必要がなくなり、従来の随時に携行しなければならない不便を解決できる。
【図面の簡単な説明】
【００１１】
【図１】本考案の一実施例による携帯電話ケースを示す正面図である。
【図２】本考案の一実施例による携帯電話ケースを示す背面図である。
【図３】本考案の一実施例による携帯電話ケースの携帯電話アダプタコネクタを示す模式図である。
【図４】本考案の一実施例による携帯電話ケースの使用者の腰部に掛けた状態を示す模式図である。
【図５】本考案の一実施例による携帯電話ケースの携帯電話に充電する状態を示す模式図である。
【図６】本考案の一実施例による携帯電話ケースの充電状態を示す模式図である。
【符号の説明】
【００１２】
１０：携帯電話ケース、１２：収納ケース、１３：ソーラーパネル、１４：回路版、１５：蓄電池、１６：電源コンセント、１７：携帯電話アダプタコネクタ、１８：携帯電話接続ケーブル、２２：ケース、２４：カバーシート、２６：覗き窓、２８：接続パーツ、３０：電源プラグ、３２：接続ポート、４０：ベルト、５０：携帯電話、５２：充電器
【図１】
0003139151.tif 000003
【図２】
0003139151.tif 000004
【図３】
0003139151.tif 000005
【図４】
0003139151.tif 000006
【図５】
0003139151.tif 000007
【図６】
0003139151.tif 000008